(57)【要約】【課題】  小売店、スーパーマーケットあるいは量販店などにおいて、レジ係の作業を軽減することのできる手持ち用のレジ籠を提供する。【解決手段】  少なくとも、商品を入れるための平面矩形状の籠本体１０と、前記籠本体１０の下面一方端部および下面他方端部の四つのコーナー部、または下面一方端部の二つのコーナー部と下面他方端部の中央部に設けられた複数のコロ２０とで構成する。また、少なくとも、商品を入れるための平面矩形状の籠本体１０と、前記籠本体１０の下面一方端部の二つのコーナー部に設けられた複数のコロ２０と、前記籠本体１０の下面他方端部得の二つのコーナー部または中央部に設けられた接地部とで構成する。【選択図】      図１
0003175733.tif 000002
【実用新案登録請求の範囲】
【請求項１】
小売店，スーパーマーケットあるいは量販店などで使用される手持ち用のレジ籠であって、少なくとも、商品を入れるための平面矩形状の籠本体（１０）と、前記籠本体の下面一方端部および下面他方端部の四つのコーナー部，または下面一方端部の二つのコーナー部と下面他方端部の中央部に設けられた複数のコロ（２０）と、を備えることを特徴とする手持ち用レジ籠。
【請求項２】
小売店，スーパーマーケットあるいは量販店などで使用される手持ち用のレジ籠であって、少なくとも、商品を入れるための平面矩形状の籠本体（１０）と、前記籠本体の下面一方端部の二つのコーナー部に設けられた複数のコロ（２０）と、前記籠本体の下面他方端部の二つのコーナー部または中央部に設けられた接地部（３０）とを備えることを特徴とする手持ち用レジ籠。
【考案の詳細な説明】
【技術分野】
【０００１】
本考案は、小売店、スーパーマーケットあるいは量販店などで使用される手持ち用のレジ籠（買い物籠）に関するものである。
【背景技術】
【０００２】
小売店、スーパーマーケットあるいは量販店などでは、通常、手持ち用のレジ籠（買い物籠）が使用されている。客は、このレジ籠に購入しようとする商品を入れてレジ台まで運び、そこでレジ係が商品の合計金額を計算する。
【０００３】
従来、買い物がより容易に行えることを目的としてレジ籠に工夫を凝らしたものが創案されている（例えば、特許文献１参照）。このレジ籠は、客が持参した買い物籠の中にレジ籠を装着して、そのレジ籠の中に購入しようとする商品を入れる。そして、レジ台においてレジ籠を買い物籠から取り外し、レジ係が計算を終えた商品を、その買い物籠に入れるようにしている。これにより、客の手間が省けて、買い物がより容易に行なわれるようにしている。
【先行技術文献】
【特許文献】
【０００４】
【特許文献１】特開２０１０−２４１５０３号公報
【考案の概要】
【考案が解決しようとする課題】
【０００５】
上記特許文献１に記載の手持ち用レジ籠は、客の手間を省いて買い物をより容易にしたものである。その一方で、レジ係は、レジ台の上に置かれたレジ籠を、その中の商品を一つ一つ取り出し易いように、手前あるいは前方に移動させる必要がある。レジ籠に入れられた商品が少なく軽量であれば大きな問題はないが、商品が多くてかつ重量が嵩む場合には、レジ籠を移動させる作業がきわめて厄介となる。商品を入れたレジ籠の重量は、１５ｋｇを超える場合もあり、特に女性のレジ係にとっては重労働となり、肩凝りなどの原因となっている。
【０００６】
本考案はこうした問題に鑑み創案されたもので、小売店、スーパーマーケットあるいは量販店などにおいて、レジ係の作業を軽減することのできる手持ち用のレジ籠を提供することを課題とする。
【課題を解決するための手段】
【０００７】
図１乃至図１０を参照して説明する。請求項１に記載の手持ち用レジ籠１は、小売店、スーパーマーケットあるいは量販店などで手に持って使用されるものであり、少なくとも、商品を入れるための平面矩形状の籠本体１０と、前記籠本体１０の下面一方端部および下面他方端部の四つのコーナー部、または下面一方端部の二つのコーナー部と下面他方端部の中央部に設けられた複数のコロ２０とを備える。
【０００８】
請求項２に記載の手持ち用レジ籠１は、小売店、スーパーマーケットあるいは量販店などで手に持って使用されるものであり、少なくとも、商品を入れるための平面矩形状の籠本体１０と、前記籠本体１０の下面一方端部の二つのコーナー部に設けられた複数のコロ２０と、前記籠本体１０の下面他方端部の二つのコーナー部または中央部に設けられた接地部３０とを備える。
【考案の効果】
【０００９】
請求項１に記載の手持ち用レジ籠１は、少なくとも、商品を入れるための平面矩形状の籠本体１０と、籠本体１０の下面一方端部および下面他方端部の四つのコーナー部、または下面一方端部の二つのコーナー部と下面他方端部の中央部に設けられた複数のコロ２０とを備えるので、レジ係Ｐ１の作業を軽減することができる。
【００１０】
すなわち、この手持ち用レジ籠１はその下面に複数のコロ２０を備えているので、横方向に軽い力を加えることによってレジ台５０の上を容易に移動させることができる。従って、当該レジ籠１をレジ台５０の上で移動させるための労力を大幅に軽減することができる。
【００１１】
請求項２に記載の手持ち用レジ籠１は、少なくとも、商品を入れるための平面矩形状の籠本体１０と、籠本体１０の下面一方端部の二つのコーナー部に設けられた複数のコロ２０と、籠本体１０の下面他方端部の二つのコーナー部または中央部に設けられた接地部３０とを備えるので、同様に、レジ係Ｐ１の作業を軽減することができる。
【００１２】
すなわち、この手持ち用レジ籠１は、下面一方端部の二つのコーナー部にコロ２０を備えているので、下面他方端部を浮かせた状態で軽い力を加えることによって、レジ台５０の上を容易に移動させることができる。従って、当該レジ籠１をレジ台５０の上で移動させるための労力を大幅に軽減することができる。
【００１３】
なお、レジ籠１は、移動後にその接地部３０をレジ台５０の上面に接地させることによって、安定姿勢を維持することができる。
【図面の簡単な説明】
【００１４】
【図１】本考案の第一実施形態に係る手持ち用レジ籠を示すもので、（ａ）は側面図、（ｂ）は平面図である。
【図２】本考案に係るレジ籠に使用されるコロを示すもので、（ａ）は側面図、（ｂ）は平面図である。
【図３】本考案に係るレジ籠に使用される他のコロを示すもので、（ａ）は側面図、（ｂ）は平面図である。
【図４】本考案に係るレジ籠に使用されるさらに他のコロを示すもので、（ａ）は側面図、（ｂ）は平面図である。
【図５】本考案に係るレジ籠の使用例を示す平面図である。
【図６】本考案の第二実施形態に係る手持ち用レジ籠を示すもので、（ａ）は側面図、（ｂ）は平面図である。
【図７】本考案の第三実施形態に係る手持ち用レジ籠を示すもので、（ａ）は側面図、（ｂ）は平面図である。
【図８】本考案のさらに他の実施形態に係る手持ち用レジ籠を示すもので、（ａ）は側面図、（ｂ）は平面図である。
【図９】本考案の第三実施形態に係る手持ち用レジ籠を示すもので、（ａ）は側面図、（ｂ）は平面図である。
【図１０】本考案に係る手持ち用レジ籠の一製造方法を示す縦断面図である。
【考案を実施するための形態】
【００１５】
本考案に係る手持ち用レジ籠１の第一実施形態を図１に示す。このレジ籠１は、小売店、スーパーマーケットあるいは量販店などのあらゆる販売店において手に持って使用されるものであり、籠本体１０、四つのコロ２０、および把手部４０を備える。
【００１６】
籠本体１０は、平面矩形状である底壁部１１の四方端部のそれぞれから側壁部１２を立設し、上端に開口部１３を備える断面略溝形状である。底壁部１１および側壁部１２には、軽量化等を目的として多数の空孔（図示省略）が形成されている。この籠本体１０は合成樹脂製であり、縦が約３０ｃｍ、横が約４５ｃｍ、高さが約２５ｃｍの大きさを持つが、この大きさは限定されない。
【００１７】
四つのコロ２０は、それぞれが、籠本体１０の下面一方端部および下面他方端部の四つのコーナー部に設けられている。このコロ２０の形態は限定されるものではなく、例えば、図２に示すように、籠本体１０の下面に固定される台座２１と、この台座２１の垂直軸２２を中心に回転する支持部材２３と、この支持部材２３の水平軸２４を中心に回転する回転体２５とで構成されるものを使用することができる。
【００１８】
また、図３および図４に示すように、籠本体１０の下面に固定される基体部２６と、その基体部２６に回転自在に嵌め込まれた球体部２７とで構成されるものを使用することもできる。
【００１９】
把手部４０は、籠本体１０の上端部に、前後方向に回動自在に取付けられた一対の把持片４１で構成される。この把手部４０を構成する把持片４１は逆Ｕ字状を成し、籠本体１０と同様に樹脂製である。
【００２０】
第一実施形態に係る手持ち用レジ籠１は、次のようにして使用することができる（図５参照）。まず、このレジ籠１は、その籠本体１０に商品が収納された状態で、客Ｐ２によってレジ台５０に置かれる。この状態から、レジ係Ｐ１が商品の合計金額を計算するためにレジ籠１を手前（バーコードリーダー５１の近く）に引き寄せる（矢印Ａ参照）。この際、レジ籠１はその下面にコロ２０を備えているので、軽い力で容易に引き寄せられる。
【００２１】
この状態から、レジ籠１の中の商品を一つずつ取り出しながらバーコードリーダー５１を通し、近くに置いた当該レジ籠１の同じ構造である空のレジ籠（空レジ籠）１ａの中へ入れていく。そして、全ての商品を空レジ籠１ａに入れた後、それを客Ｐ２の方へ押して移動させる（矢印Ｂ参照）。この際、この空レジ籠１ａにもコロ２０が設けられているので、軽い力で容易に移動させることができる。これにより、レジ係Ｐ１の労力は大幅に軽減される。
【００２２】
本考案に係る手持ち用レジ籠１の第二実施形態を、図６に示す。このレジ籠１の特徴は、籠本体１０の下面一方端部の二つのコーナー部と下面他方端部の中央部に合計三つのコロ２０を設けたことである。このレジ籠１は、三つのコロ２０によって水平状態で起立姿勢を維持するように構成されている。なお、コロ２０の形態は、第一実施形態と同様に限定されるものではない。
【００２３】
本実施形態に係るレジ籠１は、その下面に三つのコロ２０を備えているので、第一実施形態に係るレジ籠１と同様にレジ台５０の上を軽い力で移動させることができる。これにより、レジ係Ｐ１の労力を大幅に軽減することができる。
【００２４】
本考案に係る手持ち用レジ籠１の第三実施形態を、図７に示す。このレジ籠１の特徴は、籠本体１０の下面一方端部の二つのコーナー部のそれぞれにコロ２０を設け、下面他方端部の二つのコーナー部のそれぞれに接地部３０を設けたことである。前記一方端部の二つのコーナー部のコロ２０の形態は限定されない。
【００２５】
また、接地部３０はレジ台５０に接地することのできる形態であれば限定されない。従って、例えば、コロ２０と同程度の高さを備えた突起３１で構成することもできるし（図７）、また、図８に示すように、何らの部材を設けないで、籠本体１０の底面のレジ台５０に接地する底壁角部１１ａを接地部３０とすることもできる。前者の場合、籠本体１０はレジ台５０の上で水平姿勢を維持し、後者の場合はレジ台５０の上で僅かな傾斜姿勢を形成する。
【００２６】
なお、接地部３０は、籠本体１０の下面他方端部の二つのコーナー部に設ける代わりに、中央部に設けることもできる（図９参照）。
【００２７】
本実施形態に係る手持ち用レジ籠１は、移動させる際に、籠本体１０の他方端部を持ち上げるようにして、接地部３０をレジ台５０から浮き上がらせた状態で力を横方向に加える。これにより、レジ籠１はそのコロ２０の働きによってレジ台５０の上を容易に移動することができる。よって、レジ係Ｐ１の労力を大幅に軽減することができる。
【００２８】
なお、上記第一、第二および第三実施形態において、客Ｐ２がレジ籠１を移動させることもあるが、その場合、客Ｐ２の労力を軽減することができる。
【００２９】
本考案に係る手持ち用レジ籠１は、例えば、インサート成形によって製造することができる。すなわち、図１０に示すように、上金型６０と下金型６１との間に形成した金型空間６２に、射出通路６３から溶融樹脂を注入して籠本体１０を成形する際、下金型６１にあらかじめコロ２０を仮装着しておき、注入後に金型空間６２内で硬化する樹脂によってこのコロ２０を籠本体１０に一体化することができる。
【符号の説明】
【００３０】
１      手持ち用レジ籠
１ａ    空レジ籠
１０    籠本体
１１    底壁部
１１ａ  底壁角部
１２    側壁部
１３    開口部
２０    コロ
２１    台座
２２    垂直軸
２３    支持部材
２４    水平軸
２５    回転体
２６    基体部
２７    球体部
３０    接地部
３１    突起
４０    把手部
４１    把持片
５０    レジ台
５１    バーコードリーダー
６０    上金型
６１    下金型
６２    金型空間
６３    射出通路
Ｐ１    レジ係
Ｐ２    客
【図１】
0003175733.tif 000003
【図２】
0003175733.tif 000004
【図３】
0003175733.tif 000005
【図４】
0003175733.tif 000006
【図５】
0003175733.tif 000007
【図６】
0003175733.tif 000008
【図７】
0003175733.tif 000009
【図８】
0003175733.tif 000010
【図９】
0003175733.tif 000011
【図１０】
0003175733.tif 000012